(57)【要約】【課題】設置場所の自由度が高い情報提供装置、およびこの情報提供装置を備えた照明ダクトシステムを提供する。【解決手段】情報提供装置１０は、照明器具５を着脱可能に取り付ける照明ダクト２０に着脱可能な取付部４２と、情報を取得する情報取得部１３、１４と、情報取得部を介して取得した情報を報知せしめる報知部１８と、を有する。【選択図】      図５
2018163319.tif 000002
【特許請求の範囲】
【請求項１】
照明器具を着脱可能に取り付ける照明ダクトに対して着脱可能な取付部と；
情報を取得する情報取得部と；
前記情報取得部を介して取得した情報を報知せしめる報知部と；
を有する情報提供装置。
【請求項２】
人の存在を検知する信号を受ける人検知信号受信部と；
前記人検知信号受信部による受信結果に基づいて前記報知部を制御する制御部と；
をさらに有する請求項１の情報提供装置。
【請求項３】
前記情報取得部は、情報を記録した記録媒体を接続する接続ポートを含む、
請求項１または請求項２の情報提供装置。
【請求項４】
前記情報取得部は、情報源から無線で送信された情報を受信する受信部、およびこの受信部で受信した情報を記憶する記憶部を有する、
請求項１または請求項２の情報提供装置。
【請求項５】
前記報知部は、画像情報を表示する表示装置および／或いは音声情報を発生させる音声発生装置を含む、
請求項１乃至請求項４のいずれかの情報提供装置。
【請求項６】
前記表示装置は、投映対象物に画像を投映する投映装置を含む、
請求項５の情報提供装置。
【請求項７】
前記照明ダクトと；
請求項１乃至請求項６のいずれかの情報提供装置と；
を有する照明ダクトシステム。
【請求項８】
前記照明ダクトに着脱可能な照明器具をさらに有する、
請求項７の照明ダクトシステム。
【発明の詳細な説明】
【技術分野】
【０００１】
本発明の実施形態は、例えば商品に関する情報を画像で表示したり音声で提供したりする情報提供装置に関する。
【背景技術】
【０００２】
近年、スーパーマーケットやデパートなどにおいて、商品に関する画像情報を表示するためのモニタや商品に関する音声情報を提供するためのスピーカを設置した店舗が増えつつある。モニタやスピーカなどの情報提供装置は、例えば、商品展示スペースの一角に据え付ける。
【先行技術文献】
【特許文献】
【０００３】
【特許文献１】特開２０１１−２５００号公報
【発明の概要】
【発明が解決しようとする課題】
【０００４】
モニタやスピーカなどの情報提供装置に対する給電のため、情報提供装置を電源コンセントの近くに設置する必要がある。或いは、延長ケーブルを用いて情報提供装置を希望する場所に設置する。
【０００５】
情報提供装置を電源コンセントの近くに設置する場合、必ずしも希望する場所に情報提供装置を設置できるとは限らない。延長ケーブルを用いて情報提供装置を希望する場所に設置する場合、延長ケーブルが邪魔になり美観を損ねてしまう。
【０００６】
よって、設置場所の選択の自由度が高い情報提供装置の開発が望まれている。
【課題を解決するための手段】
【０００７】
実施形態に係る情報提供装置は、照明器具を着脱可能に取り付ける照明ダクトに対して着脱可能な取付部と、情報を取得する情報取得部と、情報取得部を介して取得した情報を報知せしめる報知部と、を有する。
【発明の効果】
【０００８】
実施形態によると、設置場所の選択の自由度が高い情報提供装置、およびこの情報提供装置を備えた照明ダクトシステムを提供することができる。
【図面の簡単な説明】
【０００９】
【図１】図１は、実施形態に係る情報提供装置を含む照明ダクトシステムの外観図である。
【図２】図２は、図１の照明ダクトのＦ２−Ｆ２に沿った断面図である。
【図３】図３は、図１の人感センサを取付部側から見た斜視図である。
【図４】図４は、図３の人感センサを赤外線検知部側から見た斜視図である。
【図５】図５は、図１の照明ダクトシステムの制御系を示すブロック図である。
【図６】図６は、図１の情報提供装置の一例を示す斜視図である。
【発明を実施するための形態】
【００１０】
実施形態に係る情報提供装置１０は、照明器具５０を着脱可能に取り付ける照明ダクト２０の長手方向の任意の位置に着脱可能に取り付けできる取付部４２と、顧客に提供する情報を取得する情報取得部１３、１４と、情報取得部１３、１４を介して取得した情報を顧客に報知せしめる報知部１８と、を有する。
【００１１】
情報提供装置１０は、取付部４２を介して照明ダクト２０の任意の位置に取り付けできる。このため、壁の電源コンセントなどの特別な電源手段を必要とせず、照明ダクトを介して報知部に対する給電が可能であり、延長ケーブルなどを使用する必要もなく、情報提供装置１０の設置場所の選択の自由度を高めることができる。
【００１２】
以下、図面を参照しながら実施形態について説明する。  
図１は、実施形態に係る照明ダクトシステム１００（以下、単に、システム１００と称する）を示す外観図である。システム１００は、例えば、洋服等の商品５が陳列された棚６の近傍に設置される。
【００１３】
システム１００は、天井７に固定された照明ダクト２０と、照明ダクト２０の長手方向の一端（図示左端）に設けたフィードインボックス３０と、照明ダクト２０に着脱可能に取り付けた人感センサ４０と、照明ダクト２０に着脱可能に取り付けた照明装置５０と、照明ダクト２０に着脱可能に取り付けた情報提供装置１０と、を有している。人感センサ４０、照明装置５０、および情報提供装置１０は、それぞれ、照明ダクト２０の長手方向の任意の位置に取り付け可能であり、その取り付け台数も任意に変更可能である。
【００１４】
照明ダクト２０は、店舗の壁や天井などの壁部に固定される。本実施形態では、照明ダクト２０を、一例として、棚６の上方の天井７に取り付けた。照明ダクト２０は、図２に示すように、その長手方向と直交する断面形状が略矩形状に形成されたレール本体２１と、レール本体２１内に配置された一対の導体２２と、各導体２２をレール本体２１に固定する一対の支持部材２３と、を有する。
【００１５】
本実施形態の照明ダクト２０は、例えば、日本工業規格に基づいて形成されたものである。照明ダクト２０の長さは、その設置場所に応じて任意に変更可能である。照明ダクト２０は、必ずしも真っ直ぐである必要はなく、折れ曲がったり湾曲したりしていてもよい。
【００１６】
レール本体２１は、底壁部２４と、一対の側壁部２５と、天井７に対向する上壁部２６と、を有する。底壁部２４には、人感センサ４０の取付部４２、照明装置５０の取付部４２、および情報提供装置１０の取付部４２を取付可能な開口部２７が設けられている。開口部２７は、照明ダクト２０の長手方向に延びている。開口部２７は、レール本体２１の内部と外部を連通している。
【００１７】
一方の導体２２は、後述する外部電源１（図５）の電圧側に接続されている。他方の導体２２は、外部電源１の接地側に接続されている。導体２２は、照明ダクト２０に沿って延びている。人感センサ４０、照明装置５０、および情報提供装置１０は、照明ダクト２０に取り付けることで、照明ダクト２０に対して機械的に固定されるとともに、一対の導体２２に電気的に接続され、外部電源１から給電可能な状態となる。
【００１８】
一対の支持部材２３は、照明ダクト２０に沿って延びている。支持部材２３は、絶縁材料から形成されている。支持部材２３は、長手方向と直交する断面が例えば断面Ｔ字形状に形成されている。支持部材２３は、その１つの先端部に、１つの導体２２を固定している。支持部材２３は、残りの２つの端部が、照明ダクト２０の側壁部２５の内側に固定されている。各支持部材２３と底壁部２４の上面との間には、それぞれ、隙間Ｓ１が設けられている。
【００１９】
人感センサ４０の取付部４２、照明装置５０の取付部４２、および情報提供装置１０の取付部４２は、同じ構造を有する。よって、ここでは、人感センサ４０の取付部４２のみ代表して説明し、照明装置５０の取付部４２および情報提供装置１０の取付部４２に関する説明を省略する。
【００２０】
フィードインボックス３０は、外部電源１に電気的に接続されており、外部電源１からの電流を照明ダクト２０の導体２２に供給可能に設けられている。フィードインボックス３０の筐体３１は、例えば直方体状に形成されている。筐体３１の断面形状は、例えば、照明ダクト２０のレール本体２１の断面形状と略同じ形に形成されている。この為、筐体３１は、レール本体２１の一端になだらかに連続する。
【００２１】
人感センサ４０は、図３乃至図５に示すように、筐体４１と、筐体４１を照明ダクト２０に着脱可能に取り付ける取付部４２と、電源ユニット４３と、赤外線検知部４４と、人検知信号発信部４５と、を有している。図３は、人感センサ４０を取付部４２側から見た斜視図であり、図４は、人感センサ４０を赤外線検知部４４側から見た斜視図である。図５は、人感センサ４０を含むシステム１００の制御系を示すブロック図である。
【００２２】
人感センサ４０の筐体４１は、底壁部４６と、一対の第１の側壁部４７ａと、上壁部４８と、一対の第２の側壁部４７ｂと、を有している。第１の側壁部４７ａには、人検知信号発信部４５から発振された電波を通すことが可能な孔４９が形成されている。孔４９は、一例として第１の側壁部４７ａに複数形成されている。第２の側壁部４７ｂは、平面視で６角形に形成されている。筐体４１の外形は、本実施形態に限定されるものではなく、種々変更可能なものである。
【００２３】
取付部４２は、筐体４１の上壁部４８に設けられている。取付部４２は、筐体４１を照明ダクト２０に着脱可能に取り付けるとともに、電源ユニット４３を照明ダクト２０の両導体２２に電気的に接続可能に構成されている。取付部４２は、照明ダクト２０の長手方向の任意の位置に人感センサ４０を取付可能なものである。
【００２４】
取付部４２は、図２及び図３に示すように、筐体４１の上壁部４８から突出する突出部４２ａと、突出部４２ａの周面から突出部４２ａの突出方向に直交する方向に突出する一対の腕部４２ｂと、一対の端子４２ｃと、を有している。一対の端子４２ｃは、一対の腕部４２ｂと平行に延びている。
【００２５】
突出部４２ａは、照明ダクト２０の底壁部２４の開口部２７内に挿通可能な太さに形成されている。２つの腕部４２ｂは、互いに直線状に並んで配置されている。各腕部４２ｂの延びる方向と直交する方向の幅は、開口部２７内に挿通可能な幅に設定されている。一対の腕部４２ｂは、開口部２７に通して９０°回転させた状態で、照明ダクト２０の底壁部２４と支持部材２３との間の隙間Ｓ１に略嵌まる形状を有する。２つの腕部４２ｂが隙間Ｓ１内に嵌まった状態で、人感センサ４０は、照明ダクト２０に対してぐらつくことなく機械的に固定される。
【００２６】
つまり、取付部４２は、両腕部４２ｂが照明ダクト２０の長手方向と平行な姿勢で開口部２７に挿通され、筐体４１の上壁部４８が照明ダクト２０の底壁部４６に当接するまで開口部２７内に押し込まれる。そして、取付部４２は、この状態から９０度回転される。９０℃回転されることにより、図２に示すように、一方の腕部４２ｂが一方の隙間Ｓ１内に嵌合し、他方の腕部４２ｂが他方の隙間Ｓ１内に嵌合する。この嵌合により、人感センサ４０が照明ダクト２０に固定される。
【００２７】
孔４９が形成された第１の側壁部４７ａは、人感センサ４０が照明ダクト２０に上述のように固定された状態において、情報提供装置１０側に向く。このため、孔４９も、情報提供装置１０側に向くこととなる。一方、第２の側壁部４７ｂは、人感センサ４０を照明ダクト２０に固定した状態で、照明ダクト２０の長手方向に沿う。言い換えると、人感センサ４０の照明ダクト２０に対する取り付け姿勢は、筐体４１に設けた孔４９が照明ダクト２０に取り付けた他の機器、例えば情報提供装置１０や照明装置５０に向く姿勢にされている。
【００２８】
一対の端子４２ｃは、図３に示すように、突出部４２ａの先端部に設けられている。一対の端子４２ｃは、図５に示すように、電源ユニット４３に電気的に接続されている。すなわち、一対の端子４２ｃは、電源ユニット４３に電力を供給する経路の一部を構成している。一対の端子４２ｃは、一対の腕部４２ｂが並ぶ方向に平行に並んで配置されている。すなわち、一方の端子４２ｃは、一方の腕部４２ｂに対向配置されており、他方の端子４２ｃは、他方の腕部４２ｂに対向配置されている。
【００２９】
一対の端子４２ｃが並ぶ方向と直交する方向の幅は、端子４２ｃが開口部２７を通ることが可能な幅に設定されている。このため、上述のように、人感センサ４０の取付部４２を照明ダクト２０内に挿入する際に、一対の端子４２ｃがこれを阻害することはない。また、一対の端子４２ｃは、図２に示すように一対の腕部４２ｂが隙間Ｓ１内に嵌合した状態において、照明ダクト２０の導体２２に接触可能に形成されている。具体的には、一方の端子４２ｃが一方の導体２２に接触し、かつ、他方の端子４２ｃが他方の導体２２に接触する。この接触により、各端子４２ｃが、それぞれ、導体２２に電気的に接続されることとなる。
【００３０】
図５に示すように、電源ユニット４３は、一対の端子４２ｃと電気的に接続されている。電源ユニット４３は、人検知信号発信部４５に接続されており、一対の端子４２ｃを介して導体２２から供給される電力を人検知信号発信部４５に供給する。また、電源ユニット４３は、赤外線検知部４４に接続されており、赤外線検知部４４にも電力を供給する。
【００３１】
赤外線検知部４４は、赤外線を検知可能に構成されている。赤外線検知部４４は、図４に示すように、筐体４１の底壁部４６に形成された孔を通して外部に露出している。赤外線検知部４４は、例えば赤外線検知部４４の下方に位置する人から放射される赤外線を検知可能に構成されている。なお、赤外線検知部４４の検知範囲は、赤外線検知部４４の真下に限定されるものではない。
【００３２】
人検知信号発信部４５は、赤外線検知部４４の検知結果に基づいて、人感センサ４０（すなわちシステム１００）に人が近付いたことを知らせるための信号を送信する。この信号は、電波である。また、この信号は、例えば赤外線である。人検知信号発信部４５は、筐体４１に設けた各孔４９に隣接して設けられている。
【００３３】
照明装置５０は、照明ダクト２０に着脱可能に取り付けるための取付部４２を有している。照明装置５０の取付部４２は、人感センサ４０の取付部４２と同じ構造を有する。よって、ここでは、照明装置５０の取付部４２の構造についての説明を省略する。照明装置５０は、取付部４２を介して、照明ダクト２０の任意の位置に固定可能であり、かつ、照明ダクト２０の一対の導体２２を介して給電可能である。つまり、照明装置５０の取付部４２の端子４２ｃが導体２２に電気的に接続され、この導体２２から電流が供給されると、照明装置５０は、光を照射可能となる。
【００３４】
情報提供装置１０は、図１に示すように、上述した取付部４２を備えたコネクタ２、コネクタ２に接続して図示下方に延出して設けられた支柱４、および支柱４の図示下端に取り付けた機器本体８を有する。支柱４は必須の構成ではなく、機器本体８をコネクタ２に直接取り付けてもよい。取付部４２の一対の端子４２ｃには、照明ダクト２０の導線２ａ（図５）が接続されている。導線２ａは、支柱４の中を配線され、或いはコネクタ２から機器本体８へ直接配線される。コネクタ２に設けた取付部４２は、人感センサ４０の取付部４２と同じ構造を有する。よって、ここでは、コネクタ２の取付部４２の構造についての説明を省略する。
【００３５】
コネクタ２は、取付部４２を９０°回転させることで照明ダクト２０に取り付けられるため、支柱４がコネクタ２に対して回動可能な構造を有し、或いは機器本体８が支柱４に対して回動可能な構造を有する。これにより、照明ダクト２０を建物の壁に近接させて天井７に取り付けた場合であっても、コネクタ２の照明ダクト２０への取付時に機器本体８を回動させる必要がなく、機器本体８が壁に衝突する不具合を防止することができる。
【００３６】
図５に示すように、情報提供装置１０は、制御部１１、電源ユニット１２、接続ポート１３、情報受信部１４、記憶部１５、人検知信号受信部１６（受信部）、タイマ１７、および報知部１８を有する。制御部１１は、電源ユニット１２を介して照明ダクト２０から給電を受け、報知部１８を動作制御する。電源ユニット１２は、導線２ａを介して照明ダクト２０の一対の導体２２に電気的に接続されている。
【００３７】
接続ポート１３は、機器本体８の外面に露出した差込口１３ａを有する。接続ポート１３の差込口１３ａには、例えば、図示しないＵＳＢメモリなどの記録媒体を接続することができる。記録媒体には、情報提供装置１０の報知部１８を介して顧客に報知せしめる情報（音声や画像など）に関するデータを予め記録しておく。そして、記録媒体が接続ポート１３の差込口１３ａに差し込まれると、制御部１１は、記録媒体から報知せしめる情報を読み出し、記憶部１５へ格納する。
【００３８】
情報受信部１４は、例えば、パーソナルコンピュータなどの外部機器１９（情報源）から無線ラン１９ａを介して送信されるデータを受信する。ここで、情報受信部１４が受信するデータは、例えば、顧客に報知せしめる情報に関するデータである。制御部１１は、情報受信部１４で受信したデータを記憶部１５へ格納する。接続ポート１３および情報受信部１４は、いずれも顧客に報知せしめる情報を取得する情報取得部として機能するが、必ずしも両方備えている必要はなく、少なくとも一方を備えていればよい。
【００３９】
人検知信号受信部１６は、人感センサ４０の人検知信号発信部４５から送信される信号を受信することができる。人検知信号受信部１６は、受信した信号を制御部１１へ送信する。制御部１１は、この信号を受信することで、人感センサ４０に人が近付いたことを判断する。システム１００に人が近付いたことを判断すると、制御部１１は、記憶部１５に格納した顧客に報知せしめる情報に関するデータを読み出して、報知部１８を介して顧客に報知せしめる。
【００４０】
報知部１８は、制御部１１から送信されたデータに基づいて、顧客に報知せしめる情報を提供する。報知部１８は、静止画や動画などの画像を表示する表示装置であってもよい。また、報知部１８は、音声を発生させる音声発生装置であってもよい。或いは、報知部１８は、画像を表示可能であるとともに音声を発生可能な装置であってもよい。
【００４１】
制御部１１は、例えば、記憶部１５から読み出した全ての情報を報知部１８を介して顧客に報知せしめた後、報知部１８の動作制御を終了する。または、制御部１１は、報知部１８を介して情報の提供を開始した時点でタイマ１７をセットして、一定時間後に報知部１８の動作制御を終了するようにしてもよい。このとき、制御部１１は、人検知信号受信部１６を介して受信した人感センサ４０からの信号の有無を判断し、人検知信号受信部１６を介して信号を受信した場合、報知部１８の動作制御を継続する。
【００４２】
次に、システム１００の動作を説明する。  
図１に示すように、棚６の前に人３が移動し、人３が発する赤外線を人感センサ４０が赤外線検知部４４を介して検知すると、人感センサ４０は、人検知信号発信部４５を介して、システム１００に人３が近付いたことを知らせる信号を送信する。
【００４３】
情報提供装置１０の制御部１１は、人検知信号受信部１６を介して人検知信号発信部４５から送信された信号を受信すると、記憶部１５に格納されているデータを読み出して、報知部１８を介して顧客に対して商品５に関する情報を報知せしめる。
【００４４】
報知部１８を介して情報を報知せしめた後、棚６の前から人３が移動し、商品５を観察する人がいなくなると、人検知信号受信部１６からの信号が無くなるので、制御部１１は、報知部１８に対する動作制御を終了し、報知部１８への給電を中止する。
【００４５】
以上のように、本実施形態によると、情報提供装置１０が照明ダクト２０に取り付けるための取付部４２を有するため、情報提供装置１０を照明ダクト２０の長手方向の任意の位置に取り付けることができる。また、取付部４２が、端子４２ｃを有していることにより、情報提供装置１０は、取付部４２を介して照明ダクト２０から電力を得ることができる。このため、本実施形態によると、建物の壁に設けた電源コンセントのような特別な電源手段を必要とせず、延長ケーブルを使用する必要もなく、情報提供装置１０の設置場所の選択の自由度を高めることができる。
【００４６】
また、本実施形態によると、照明装置５０を取り付けるための照明ダクト２０に情報提供装置１０を取り付けることができ、情報提供装置１０の配線のための設備を新たに設ける必要がなく、コストを低減することができる。また、情報提供装置１０を照明ダクト２０に取り付けることで、情報提供装置１０を比較的高い位置に設置することができ、顧客による注意を情報提供装置１０に引き付けることができ、情報提供効果を高めることができる。
【００４７】
また、本実施形態によると、人感センサ４０を介して棚６に人３が近付いたことを検知した場合に情報提供装置１０を介して商品５に関する情報を提供するようにしたため、人３がいないときに不要に情報提供装置１０が電力を消費することがなく、システム１００における消費電力を小さくすることができる。
【００４８】
なお、本実施形態では、人感センサ４０を介して人３を検知した場合に情報提供装置１０を動作させるようにしたが、これに加えて、照明装置５０を連動させて点灯させるようにしてもよい。この場合、例えば、フィードインボックス３０に電源をオン／オフするスイッチおよび人検知信号受信部を設け、人感センサ４０による人３の検知に基づいてスイッチをオンにすればよい。また、この場合、情報提供装置１０の動作停止タイミングと照明装置５０を消灯させるタイミグを別々に制御することもできる。
【００４９】
なお、上述した実施形態では、人感センサ４０を情報提供装置１０と別体に設けた場合について説明したが、これに限らず、人感センサ４０を情報提供装置１０と一体に設けてもよい。この場合、人感センサ４０の人検知信号発信部４５と情報提供装置１０の人検知信号受信部１６が不要となり、両者を有線で接続すればよい。また、この場合、人感センサ４０を情報提供装置１０に内蔵してもよく、人感センサ４０を情報提供装置１０の機器本体８に外付けしてもよい。
【００５０】
（実施例１）
情報提供装置１０として、音声発生装置を用いた場合、制御部１１は、人感センサ４０を介して人３を検知すると、予め記憶部１５に記憶しておいた音声データを読み出して、報知部１８（この場合、スピーカ）を介して音声を発生させる。音声データは、ＵＳＢメモリなどにより接続ポート１３を介して取得することができ、情報受信部１４を介して無線により外部機器１９から受信することができる。或いは、情報提供装置１０に録音機能を持たせて、図示しないマイクロフォンを用いて音声を録音したものを記憶部１５に格納しておいてもよい。
【００５１】
また、音声情報を発生させる場合、予め用意した全ての音声情報を発生させて情報提供装置１０を停止させてもよく、タイマ１７をセットして決められた時間だけ音声情報を発生させるようにしてもよい。また、音声情報を発生させる動作に連動して、照明装置５０を点灯させるようにしてもよい。
【００５２】
（実施例２）
情報提供装置１０として、表示装置を用いた場合、制御部１１は、人感センサ４０を介して人３を検知すると、予め記憶部１５に記憶しておいた画像データを読み出して、報知部１８（この場合、モニタ）を介して静止画や動画を表示させる。画像データは、ＵＳＢメモリなどにより接続ポート１３を介して取得することができ、情報受信部１４を介して無線により外部機器１９から受信することができる。或いは、情報提供装置１０に録画機能を持たせて、図示しないカメラを用いて静止画や動画を録画したものを記憶部１５に格納しておいてもよい。
【００５３】
また、画像情報を表示させる場合、予め用意した全ての画像情報を表示させて情報提供装置１０を停止させてもよく、タイマ１７をセットして決められた時間だけ画像情報を表示させるようにしてもよい。また、画像情報を表示させる動作に連動して、照明装置５０を点灯させるようにしてもよい。
【００５４】
さらに、画像情報の表示と同時に、音声情報を発生させるようにしてもよい。この場合、音声情報は、ＵＳＢメモリなどにより接続ポート１３を介して取得することができ、情報受信部１４を介して無線により外部機器１９から受信することができる。
【００５５】
（実施例３）
情報提供装置１０として、図６に例示する投映装置６０を用いた場合、制御部１１は、人感センサ４０を介して人３を検知すると、予め記憶部１５に記憶しておいた画像データを読み出して、報知部１８（この場合、プロジェクタ）を介して静止画や動画を壁や床や天井などの投映対象物Ｔに投映させる。画像データは、ＵＳＢメモリなどにより接続ポート１３を介して取得することができ、情報受信部１４を介して無線により外部機器１９から受信することもできる。
【００５６】
また、画像情報を表示させる場合、予め用意した全ての画像情報を表示させた後、情報提供装置１０を停止させてもよく、タイマ１７をセットして決められた時間だけ画像情報を表示させるようにしてもよい。また、画像情報を表示させる動作に連動して、照明装置５０を点灯させるようにしてもよい。また、実施例２と同様に、画像の投映に加えて音声を発生させてもよい。
【００５７】
画像の投映対象は、建物の天井、壁、床などいかなるものであってもよく、人３の動きに連動させて投映場所を移動させてもよい。また、画像認識により人３が手に取った商品５に関連性の高い別の商品に関する情報を投映するようにしてもよい。例えば、マフラーを手に取った顧客に対して手袋の売り場を案内する画像を床に投映してもよい。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
２…コネクタ、３…人、４…支柱、５…商品、６…棚、７…天井、８…機器本体、１０…情報提供装置、１１…制御部、１３…接続ポート、１４…情報受信部、１５…記憶部、１６…人検知信号受信部、１８…報知部、２０…照明ダクト、３０…フィードインボックス、４０…人感センサ、４２…取付部、４４…赤外線検知部、４５…人検知信号発信部、５０…照明装置、６０…投映装置、１００…照明ダクトシステム。
【図１】
2018163319.tif 000003
【図２】
2018163319.tif 000004
【図３】
2018163319.tif 000005
【図４】
2018163319.tif 000006
【図５】
2018163319.tif 000007
【図６】
2018163319.tif 000008